(57)【要約】【課題】草刈性能を損なわずに、チップの破損や脱落を防止できる、形状の工夫された草刈機用回転切断刃の提供。【解決手段】台座と、前記台座の外周に径方向外方に突出した複数の刃体と、硬質材で構成され前記刃体の回転方向前方に接合されたチップを備えた草刈機用回転切断刃であって、側方視で現れるチップ２９の外周輪郭線２９ａは、台座１７の刃体２３の最外周輪郭線が描く回転軌跡と同じかまたは接合された刃体から離れるほど内方に傾斜し、同じく側方視で現れる刃体２３の外周輪郭線２３ａとそれに連続する回転方向後方輪郭線２３ｂは湾曲線で滑らかに連続され、且つ回転方向後方輪郭線２３ｂと後続の回転方向前方輪郭線２３ｃも滑らかに連続されているもの。【選択図】        図３
2009095295.tif 000002
【特許請求の範囲】
【請求項１】
台座と、前記台座の外周に径方向外方に突出した複数の刃体と、硬質材で構成され前記刃体の回転方向前方に接合されたチップを備えた草刈機用回転切断刃であって、
側方視で現れる前記チップの外周輪郭線は、前記台座の刃体の外周輪郭線が描く最外方の回転軌跡と同じかまたは接合された刃体から離れるほど内方に傾斜し、
同じく側方視で現れる前記刃体の外周輪郭線とそれに連続する回転方向後方輪郭線は湾曲線で滑らかに連続され、且つ前記刃体の回転方向後方輪郭線と後続の刃体の回転方向前方輪郭線も滑らかに連続されていることを特徴とする草刈機用回転切断刃。
【請求項２】
請求項１に記載した草刈機用回転切断刃において、
側方視で現れる刃体とチップの刃先面の輪郭線とで画定される刃室の開口寸法は外周側に向かうほど大きくなっていることを特徴とする草刈機用回転切断刃。
【請求項３】
請求項１または２に記載した草刈機用回転切断刃において、
側方視で現れる刃体の回転方向前方輪郭線とそれに連続するチップの刃先面の輪郭線は滑らかに連続されていることを特徴とする草刈機用回転切断刃。
【請求項４】
請求項１から３のいずれかに記載した草刈機用回転切断刃において、
側方視で現れるチップの刃先面の輪郭線は径方向に延びていることを特徴とする草刈機用回転切断刃。
【発明の詳細な説明】
【技術分野】
【０００１】
本発明は、草刈機用回転切断刃に係り、より詳細には、台座と、前記台座の外周に径方向外方に突出した複数の刃体と、硬質材で構成され前記刃体の回転方向前方に接合されたチップを備えた草刈機用回転切断刃に関するものである。
【背景技術】
【０００２】
特許文献１、２に示すように、従来から、台座と、前記台座の外周に径方向外方に突出した複数の刃体と、炭化タングステンなどの硬質材で構成され前記刃体の回転方向後方に接合されたチップを備え、耐磨耗性を向上させた回転切断刃は存在する。
特許文献１の回転切断刃は金属材の切断加工用のものであるが、特許文献２の回転切断刃は草刈用である。
【０００３】
【特許文献１】特開平５−４０１号公報
【特許文献２】特開平１０−１７５１９２号公報
【発明の開示】
【発明が解決しようとする課題】
【０００４】
しかしながら、上記した回転切断刃のチップを構成する硬質材は耐衝撃性が弱い。
そのため、上記した回転切断刃を草刈機に装着した場合には、従来から、特に石間、小石の多い畦、土手などやガードレールや電柱の根元などでの雑草等の低刈り作業中に石やガードレールなどの硬質物にチップが当ってチップの刃先が欠けたり、チップそのものが台座から脱落したりすることがあり、問題となっている。
そこで、特許文献２では、刃体に第２の刃先を形成して、そこに硬質物を当てることが提案されているが、硬質物が都合よくその第２の刃先にのみ当たるわけではない。
【０００５】
それ故、本発明は、草刈性能を損なわずに、チップの破損や脱落を防止できる、形状の工夫された草刈機用回転切断刃を提供することを目的とする。
【課題を解決するための手段】
【０００６】
上記課題を解決するために、鋭意研究の結果、チップを台座の刃体から突出させないことでチップの硬質物への当たりを回避すると共に、刃体の形状を工夫して草を前記した突出しないチップの刃先に誘導することで、上記両方の特性を同時に満足させることに成功した。
以下に、本発明を説明する。
請求項１の発明は、台座と、前記台座の外周に径方向外方に突出した複数の刃体と、硬質材で構成され前記刃体の回転方向前方に接合されたチップを備えた草刈機用回転切断刃であって、側方視で現れる前記チップの外周輪郭線は、前記台座の刃体の外周輪郭線が描く最外方の回転軌跡と同じかまたは接合された刃体から離れるほど内方に傾斜し、同じく側方視で現れる前記刃体の外周輪郭線とそれに連続する回転方向後方輪郭線は湾曲線で滑らかに連続され、且つ前記刃体の回転方向後方輪郭線と後続の刃体の回転方向前方輪郭線も滑らかに連続されていることを特徴とする草刈機用回転切断刃である。
【０００７】
請求項２の発明は、請求項１に記載した草刈機用回転切断刃において、側方視で現れる刃体とチップの刃先面の輪郭線とで画定される刃室の開口寸法は外周側に向かうほど大きくなっていることを特徴とする草刈機用回転切断刃である。
【０００８】
請求項３の発明は、請求項１または２に記載した草刈機用回転切断刃において、側方視で現れる刃体の回転方向前方輪郭線とそれに連続するチップの刃先面の輪郭線は滑らかに連続されていることを特徴とする草刈機用回転切断刃である。
【０００９】
請求項４の発明は、請求項１から３のいずれかに記載した草刈機用回転切断刃において、側方視で現れるチップの刃先面の輪郭線は径方向に延びていることを特徴とする草刈機用回転切断刃である。
【発明の効果】
【００１０】
本発明の草刈機用回転切断刃では、草刈性能を損なわずに、チップの破損や脱落を防止できる。
【発明を実施するための最良の形態】
【００１１】
本発明の実施の形態に係る草刈機用回転切断刃を備える草刈機１を、図面に従って説明する。
図１に示すように、この草刈機１は人力操作用のものであり、操作棹３と、操作棹の基端側に設けられたエンジン５と、先端側に設けられたチップソー（回転切断刃）７を備えている。操作棹３内には図示しない回転軸が内装されており、エンジン５の動力は図示しないクランク軸から回転軸に伝達される。この回転軸の先端側にチップソー７が連結されている。
チップソー７の近傍には安全カバー９が設けられている。また、操作棹３の基端寄りには、グリップ部１１と把持部１３が設けられ、さらにその近傍には、肩掛けベルト１５が取り付けられている。
このような草刈機１を用いて草刈りをする場合には、肩掛けベルト１５を肩に掛け、片方の手でグリップ部１１を握り、もう片方の手で把持部１３を握って操作棹３を操作して回転するチップソー７を草に当てることになる。
【００１２】
チップソー７の構造を、図２、図３の側面図と図４の平面図に従って説明する。
図２において、符号１７は金属製の台座を示し、この台座１７は円板状になっており、その中心には上記した回転軸が内嵌されて連結される連結穴１９が形成されている。また、台座１７を軽量にするために、４つの窓穴２１が形成されている。
台座１７の外周には径方向外方に突出した複数の同一形状の刃体２３が同じピッチをあけて形成されており、隣り合う刃体２３どうしの間は同一形状の刃室２５（＝チップポケット）になっている。
【００１３】
図３の側面図に現れる拡大された各刃体２３の輪郭線は、変曲点を境界にして外周輪郭線（＝外周面の側方視で現れる輪郭線）２３ａと、回転方向後方輪郭線（＝回転方向後面の側方視で現れる輪郭線）２３ｂ及び回転方向前方輪郭線（＝回転方向前面の側方視で現れる輪郭線）２３ｃに分けられている。後者の２つの輪郭線は最内点を境界にして前方と後方に分けられている。
各刃体２３の外周輪郭線２３ａは連続する回転方向後方輪郭線２３ｂとの境界部位を除いて、細線で示す同一円弧ｎ上にある。
【００１４】
刃体２３の外周輪郭線２３ａとそれに連続する回転方向後方輪郭線２３ｂの境界部位は点線で示す角部が切り欠けられてある程度の肉厚の有る丸みが付けられており、後外方に向かって膨らんだ湾曲線で滑らかに連続されている。さらに、刃体２３の回転方向後方輪郭線２３ｂと後続の刃体２３の回転方向前方輪郭線２３ｃも内方に向かって窪んだ湾曲線で滑らかに連続されている。
従って、上記した角部に石などが当っても、その角度は肉厚が有るのでその衝撃を十分に吸収でき、その前方に取り付けられたチップ２９が衝撃のショックにより飛び出すのが防止される。
さらに、刃体２３の外周面に当たった草はその湾曲線に沿って滑りながら一旦は内方に向かい、確実に刃室２５内に取り込まれる。そして、後続の刃体２３の前面に沿って滑りながら外方に向かい、最終的には後続の刃体２３の前面に接合されたチップ２９に当たってスムーズに切断されることになる。
【００１５】
しかも、側方視で現れる刃体２３の外周輪郭線２３ａ、回転方向後方輪郭線２３ｂ、回転方向前方輪郭線２３ｃと、チップ２９の刃先面３０の輪郭線とで画定される刃室２５の開口寸法は外周側に向かうほど大きくなっている。すなわち、チップ２９の刃先面３０の有る外方部位の回転軌跡ｍの刃室２５内の長さｍ１（＝開口寸法）は刃先面３０の無い内方部位の回転軌跡ｍの刃室２５内の長さｍ２（＝開口寸法）より大きくなっている。従って、草が大きい開口から刃室２５の内部にスムーズに取り込まれる。
なお、刃体２３の回転方向後方輪郭線２３ｂの中間の直線部分が内方、すなわち中心の連結穴１９に近づくほど後続の刃体２３の回転方向前方に近づくように径方向に対して所定角度（α）で傾斜していることから、上記したような滑り移動が一層容易になっている。
【００１６】
さらに、側方視で現れるチップ２９の刃先面３０の回転方向前方の刃室２５は広くなっており、従って、草を広い空間の刃室２５に取り込み易くなっている。
なお、刃室２５の後面は、後述するチップ２９の刃先面３０としている。
【００１７】
チップ２９はいずれかの硬質材（超硬材を含む）で構成されている。刃体２３の回転方向前方には、側方視でＬ形のチップ２９の接合用の切り欠きが形成されており、その切り欠きに側方視でほぼ矩形のチップ２９が定法のろう付けにより接合されている。
チップ２９の外周輪郭線（＝外周面の側方視で現れる輪郭線）２９ａは、台座１７の刃体２３との外周側接合面から内方に向かって直線状に所定の傾斜角度（β）で若干ながら傾斜しており、接合された刃体２３から離れるほどその外周輪郭線２９ａは内方に後退している。傾斜角度（β）は３°〜８°程度が好ましく、５°前後が寄り好ましい。なお、チップ２９の外周輪郭線は、加工の便宜上通常直線状である。
【００１８】
上記のような形状にすると、石やガードレールなどの硬質物は、最初に刃体２３の外周面に衝突することになる。そして、相手方が石などの可動体の場合には可動体が外方に跳ね飛ばされ、ガードレールなどの不動体の場合には刃体２３を含むチップソー７が相対的に後退するように動かされることになる。いずれにしても、チップ２９に硬質物が衝突するのは回避される。
【００１９】
また、刃体２３の回転方向前方輪郭線２３ｃとそれに連続するチップ２９の回転方向後方輪郭線２３ｂは滑らかに連続されている。しかも、チップ２９の刃先面３０の側面視で現れる輪郭線は台座１７の径方向にほぼ一致している。
従って、低速回転でも、刃室２５に取り込まれた草は刃体２３の回転方向前面からチップ２９の刃先面をなす前面へスムーズに移行し、草の切れ味が軽快である。
【００２０】
図４に示すように、チップ２９の板厚は台座１７の板厚より若干厚く、台座１７の表面３１と裏面３３から均等に所定量ずつ突出している。
また、チップ２９の刃先面３０の平面視で現れる輪郭線は、交互に、すなわち表面３１から裏面３３に向かって或いは裏面３３から表面３１に向かって、回転方向前方に所定角度（θ）で互い違いに傾斜しており、鋭利な刃先端３６が表面３１上と裏面３３上に交互に現れるように、すなわち千鳥状に配置されている。
従って、低速回転でも、刈り取った草は左右方向に順次飛ばされ、操作棹３に巻き付くことはない。
【００２１】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態では、チップ２９の外周輪郭線２９ａは傾斜しており、刃先面への硬質物の衝突をより確実に回避しているが、硬質物の刃体２３の外周輪郭線２３ａが描く最外方の回転軌跡上にあっても、刃体２３より外方に突出しているわけではないので硬質物への衝突はある程度は回避できる。
【００２２】
いずれにしても、特許請求されている形状等を除いては、本発明の範囲は限定されず、従来からあるまたは将来案出される形状や素材を任意に組み合わせることができる。
【産業上の利用可能性】
【００２３】
本発明に係る回転切断刃は、草刈性能や良いだけでなく、製品寿命も長いので、この回転切断刃を草刈機に装着して作業を行うと、作業効率を高くできる上に経済的でもある。
従って、本発明に係る回転切断刃は、農業や土建業に従事する者にとっては非常に有用なものである。
【図面の簡単な説明】
【００２４】
【図１】本発明の実施の形態に係る回転切断刃を装着した草刈機の斜視図である。
【図２】図１の回転切断刃の側方図である。
【図３】図２の一部拡大図である。
【図４】図１の回転切断刃の一部拡大平面図である
【符号の説明】
【００２５】
１‥‥草刈機                        ７‥‥チップソー
１７‥‥台座
２３‥‥刃体                        ２３ａ‥‥（刃体の）外周輪郭線
２３ｂ‥‥（刃体の）回転方向後方輪郭線
２３ｃ‥‥（刃体の）回転方向前方輪郭線
２５‥‥刃室                        ２９‥‥チップ
２９ａ‥‥（チップの）外周輪郭線
【図１】
2009095295.tif 000003
【図２】
2009095295.tif 000004
【図３】
2009095295.tif 000005
【図４】
2009095295.tif 000006